(57)【要約】【課題】昇降自在な収納棚の収納量を十分確保するとともに、設計が容易である、照明装置を組み込んだ収納装置を提供すること。【解決手段】下方に開口する箱体１３に対して昇降自在とされ、上昇により箱体内部に収納される収納棚１４を備えた収納装置１において、箱体を形成する前板３と収納棚との間に下方を照らす照明装置２を組み込む。【選択図】図１
2007167396.tif 000002
【特許請求の範囲】
【請求項１】
下方に開口する箱体に対して昇降自在とされ、上昇により箱体内部に収納される収納棚を備えた収納装置において、箱体を形成する前板と収納棚との間に下方を照らす照明装置が組み込まれていることを特徴とする収納装置。
【請求項２】
照明装置が箱体の前板裏面側に箱体の下端縁に沿って設けられ、照明装置の下面が箱体の前板下端面と略面一に配置されている請求項１記載の収納装置。
【請求項３】
照明装置がＬＥＤ照明装置である請求項１または２記載の収納装置。
【発明の詳細な説明】
【技術分野】
【０００１】
本願発明は、厨房装置、洗面化粧台などの上方に設置される、収納棚を昇降自在に備えた照明付の収納装置に関する。
【背景技術】
【０００２】
厨房装置、洗面化粧台などの上方にウォールキャビネットなどとして設置される収納装置が知られている。
【０００３】
たとえば図３に示したように、収納装置１１は、厨房装置１２、洗面化粧台などの上方に設置され、下方に開口する箱体１３を備え、食器、調理用具、洗面用具などを収納する収納棚１４が箱体１３に対して昇降自在に配設されたものである。収納棚１４は、下降時には、厨房装置１２、洗面化粧台などの後部上方において作業者の手の届く位置に配置され、シンク１５、洗面ボウルなどで洗い、すすいだ後の食器、調理用具、洗面用具などを収納することができる。収納棚１４に収納された食器、調理用具、洗面用具などは、収納棚１４の上昇によって箱体１３の内部にしまうことができる。収納棚１４の昇降は手動または電動で行われる。
【０００４】
収納棚１４には、洗いすすいだ後の水に濡れた食器、調理用具、洗面用具などをそのまま収納することができるように、高さ方向の中ほどに網棚１６が収納棚１４の左右の両側板１７間に架設され、底部に排水部１８が設けられている。排水部１８は、上部に、上下に貫通する複数の孔１９が格子状に配置された孔あきプレート２０を有している。孔あきプレート２０および網棚１６に載せられた食器、調理用具、洗面用具などから滴る水を孔あきプレート２０の孔１９を通じて排水部１８の下方へと導くことができるようにしている。また、排水部１８には、前方への引き出しが自在とされた水受けトレー２１が設けられている。水受けトレー２１は上方に開口しており、排水部１８の下方に移動する水を受け、一定量溜めることができるようになっている。水受けトレー２１に溜まった水は、水受けトレー２１を排水部１８から引き出し、取り外すことによって、シンク１５、洗面ボウルなどに排出することができる。水受けトレー２１の前面は、水受けトレー２１の収納時には排水部１８の前面と略面一となるように配置される。
【０００５】
このような収納装置１１については、調理、後片付け、洗面などの作業時にシンク１５や洗面ボウル、また、カウンタートップ２２を明るく照らし、手暗がりになるのを解消して作業を良好に、また、スムーズに行えるような提案がなされている（たとえば、特許文献１）。
【０００６】
特許文献１に記載された照明付昇降水切棚では、箱体内部の上部に照明ユニットが配設され、照明ユニットからの光を箱体の前板裏面に沿って下方に導き、幕板下端部に設けた拡散板によって拡散照明するようにしている。
【特許文献１】特開平５−３８５０号公報
【発明の開示】
【発明が解決しようとする課題】
【０００７】
特許文献１に記載された照明付昇降水切棚では、水切棚の昇降を操作する操作スイッチと駆動ユニットとを接続する電線の配線スペースに反射板および導光板を設け、光の下方照射を可能にしており、スペースの有効利用が図られている点に注目されるが、照明ユニットを箱体内部の上部に組み込んでいるため、水切棚がサイズの制約を受け、食器、調理用具、洗面用具などの収納量を十分大きくするのが難しい。また、電動昇降の場合、駆動ユニットは通常箱体内部の上部に配設されるため、照明ユニットの配設スペースを十分に確保する設計が必要とされる。
【０００８】
本願発明は、このような事情に鑑みてなされたものであり、昇降自在な収納棚の収納量を十分確保するとともに、設計が容易である、照明装置を組み込んだ収納装置を提供することを課題としている。
【課題を解決するための手段】
【０００９】
本願発明は、上記の課題を解決するために、第１に、下方に開口する箱体に対して昇降自在とされ、上昇により箱体内部に収納される収納棚を備えた収納装置において、箱体を形成する前板と収納棚との間に下方を照らす照明装置が組み込まれていることを特徴としている。
【００１０】
本願発明は、第２に、照明装置が箱体の前板裏面側に箱体の下端縁に沿って設けられ、照明装置の下面が箱体の前板下端面と略面一に配置されていることを特徴としている。
【００１１】
本願発明は、第３に、照明装置がＬＥＤ照明装置であることを特徴としている。
【発明の効果】
【００１２】
本願の第１の発明によれば、下方を照らす照明装置はコンパクトサイズであり、収納装置において通常箱体の前板と昇降自在な収納棚との間に設けられている、収納棚のスムーズな昇降を可能にする隙間に照明装置を組み込むことができ、照明装置の配設にともなう収納棚のサイズの制約はなく、収納棚の収納量を十分大きなものとして確保することができる。また、照明装置の配設のための設計が容易となる。照明装置は、シンク、洗面ボウル、カウンタートップなどを照らすばかりでなく、降下した収納棚の内部も照らすことができる。
【００１３】
本願の第２の発明によれば、照明装置が箱体の前板裏面側に箱体の下端縁に沿って設けられているので、照明装置が発する光が箱体および収納棚に遮られることなく下方に向かい、シンク、洗面ボウル、カウンタートップなどを明るく、均一に照らすことができる。また、照明装置の下面が箱体の前板下端面と略面一に配置されているので、照明装置が箱体から下方に突出することがなく、良好な外観が形成される。
【００１４】
本願の第３の発明によれば、照明装置のよりコンパクト化が図られ、箱体の前板と収納棚との間の隙間に完全に収まる。収納棚の昇降を全く阻害せず、収納棚をより十分な収納量のものとすることができる。また、ＬＥＤ照明装置は指向性が高いため、照度が十分であり、シンク、洗面ボウル、カウンタートップなどをより明るく照らすことができる。さらに、ＬＥＤ照明装置として収納装置に組み込むことにより照明装置の施工およびメンテナンスが容易となる。
【発明を実施するための最良の形態】
【００１５】
図１は、本願発明の収納装置の一実施形態を示した概略断面図である。
【００１６】
図１に示した収納装置１は、図３に示した厨房装置１２、洗面ボウルなどの上方にウォールキャビネットなどとして設置される収納装置である。すなわち、下方に開口する箱体１３を備え、食器、調理用具、洗面用具などを収納する収納棚１４が箱体１３に対して昇降自在に配設されている。収納棚１４は、下降時には、厨房装置１２、洗面化粧台などの後部上方において作業者の手の届く位置に配置され、シンク１５、洗面ボウルなどで洗い、すすいだ後の食器、調理用具、洗面用具などを収納することができる。収納棚１４に収納された食器、調理用具、洗面用具などは、収納棚１４の上昇によって箱体１３の内部にしまうことができる。収納棚１４の昇降は手動または電動で行われる。
【００１７】
収納棚１４には、洗いすすいだ後の水に濡れた食器、調理用具、洗面用具などをそのまま収納することができるように、底部に排水部１８が設けられている。排水部１８は、収納された食器、調理用具、洗面用具などから滴る水を下方に導き、前方への引き出しが自在とされた水受けトレーに溜め、水受けトレーを引き出し、取り外すことで、シンク１５、洗面ボウルなどへの排出を可能にしている。
【００１８】
このような収納装置１において、下方を照らす照明装置２が、箱体１３を形成する前板３と収納棚１４との間に配設されている。照明装置２はコンパクトサイズであり、収納棚１４が昇降する収納装置１において通常箱体１３の前板３と収納棚１４との間に設けられている、収納棚１４のスムーズな昇降を可能にする隙間ｃに収められている。したがって、照明装置２は、収納棚１４の昇降の障害となることはなく、また、収納棚１４のサイズに一切制約を課さない。収納棚１４の収納量は十分大きなものとして確保される。また、収納棚１４の昇降を電動式としても、照明装置２を配設するためのスペースは十分確保されており、照明装置２の配設のための設計は容易である。照明装置２は、シンク、洗面ボウル、カウンタートップなどを照らすばかりでなく、降下した収納棚１４の内部も照らすことができる。
【００１９】
好ましくは、照明装置２は、箱体１３の前板３の裏面側において、図３に示したような箱体１３の下端縁に沿うように設ける。こうすることにより、照明装置２が発する光が箱体１３および収納棚１４に遮られることなく下方に向かい、シンク１５、洗面ボウル、カウンタートップ２２などを明るく、均一に照らすことができる。
【００２０】
また、好ましくは、図１に示したように、照明装置２の下面が箱体１３の前板３の下端面と略面一に配置されるようにする。この場合、照明装置２が箱体１３から下方に突出することがなく、良好な外観を形成することができる。なお、略面一とは、真に面一であることも含み、ほぼ同一平面状に配置されている状態をいう。
【００２１】
このような照明装置２としては、ＬＥＤ照明装置が好ましく例示される。ＬＥＤは直径が５ｍｍ程度の十分小さいものであり、図２に示したように、ＬＥＤ照明装置４においてＬＥＤ５は横に一定の間隔で並設することができる。このようなＬＥＤ照明装置４では、ＬＥＤ５を支持するケース６の縦幅を１５ｍｍ程度に抑えることができる。幅が約４０ｍｍ程度である蛍光灯に比べ、ＬＥＤ照明装置４は十分小さく、よりコンパクトな照明装置２を実現する。ＬＥＤ照明装置４は、図１に示した箱体１３の前板３と収納棚１４との間の隙間ｃに完全に収まる。このため、収納棚１４の昇降を全く阻害せず、収納棚１４の収納量をより十分なものとすることができる。また、ＬＥＤ５は指向性が高いため、照度が十分であり、図３に示したシンク１５、洗面ボウル、カウンタートップ２２などをより明るく照らすことができる。さらに、複数個のＬＥＤ５がケース６に配設されたＬＥＤ照明装置４はワン・ユニットとして取り扱うことができ、照明装置２の施工およびメンテナンスが容易である。
【００２２】
なお、収納装置１への取付状態においてＬＥＤ５は下側を向くように配置される。
【図面の簡単な説明】
【００２３】
【図１】本願発明の収納装置の一実施形態を示した概略断面図である。
【図２】ＬＥＤ照明装置の一形態を示した斜視図である。
【図３】本願発明の収納装置が前提とする収納装置の一形態を示した斜視図である。
【符号の説明】
【００２４】
１    収納装置
２    照明装置
３    前板
４    ＬＥＤ照明装置
５    ＬＥＤ
６    ケース
１１    収納装置
１２    厨房装置
１３    箱体
１４    収納棚
１５    シンク
１６    網棚
１７    側板
１８    排水部
１９    孔
２０    孔あきプレート
２１    水受けトレー
２２    カウンタートップ
【図１】
2007167396.tif 000003
【図２】
2007167396.tif 000004
【図３】
2007167396.tif 000005